(57)【要約】【課題】分割形作業用ボックスの分割体どうしの組み付け連結を簡単かつ短時間でしかも確実に行なえる分割形作業用ボックスの組み付け連結装置及びその方法を提供する。【解決手段】両分割体内に埋め込み状に設けられた位置決め穴１２に両分割体が正しい密着組み付け状態で組み付けられるようにそれらの分割体の近接移動を案内し得る案内連結体１４を配置する。その状態で、両分割体の壁面側から挿入穴１６を介して楔部材１８を挿入させ案内連結体１４と嵌合させる。【選択図】  図１１
2004324071.tif 000002
【特許請求の範囲】
【請求項１】
複数に分割された部分を組み付けて中空ケース状の作業用ボックスを形成する際の作業用ボックスの組み付け連結装置であり、
相互に組み付け連結されるボックスの分割体と、
相互に密着させて組み付ける分割面部分であって、組み付けた際に両分割体に跨がって連通し、かつ両分割体内に埋め込み状に設けられた位置決め穴と、
位置決め穴内に配置され両分割体が正しい密着組み付け状態で組み付けられるようにそれらの分割体の近接移動を案内し得る案内連結体と、
両分割体の壁面側からそれぞれ穿孔され該位置決め穴に連通するように設けられた挿入孔と、
挿入孔から挿入され密着組み付けされた両分割体が離開しないように案内連結体に嵌合して両分割体を連結させる楔部材と、を備えたことを特徴とする分割形作業用ボックスの組み付け連結装置。
【請求項２】
案内連結体が分割体の近接移動方向に向けて断面外郭大きさを拡大させる部分を有することを特徴とする請求項１記載の作業用ボックスの組み付け連結装置。
【請求項３】
案内連結体は断面外郭大きさを拡大させる部分を左右対称に形成させて一体化させたコマ部材からなる請求項２記載の作業用ボックスの組み付け連結装置。
【請求項４】
複数に分割された部分を組み付けて中空ケース状の作業用ボックスを形成する際の作業用ボックスの組み付け連結装置であり、
相互に組み付け連結されるボックスの分割体と、
相互に分割面を密着させて組み付ける際に両分割体が正しい密着組み付け状態で組み付けられるようにそれらの分割体の近接移動を案内する案内機構と、
案内機構に連係しつつ両分割体が正しい密着組み付け位置に配置された状態でその密着組み付け状態をロックさせるロック機構と、を備えたことを特徴とする作業用ボックスの組み付け連結装置。
【請求項５】
複数に分割された部分を組み付けて中空ケース状の作業用ボックスを形成する際の作業用ボックスの組み付け連結装置であり、
相互に組み付け連結されるボックスの分割体と、
相互に分割面を密着させて組み付ける際に両分割体間に介在しかつそれらの内部に埋め込まれるように該分割面部分に配置され、両分割体の正しい密着組み付け位置に向けて対向近接方向の移動を案内する案内連結体と、
案内連結体を介して両分割体が正しい密着組み付け位置に配置された状態でその密着組み付け状態をロックさせるロック機構と、を備えたことを特徴とする作業用ボックスの組み付け連結装置。
【請求項６】
請求項１、２、３、５のいずれかに記載の分割形作業用ボックスの組み付け連結装置に用いられる案内連結体。
【請求項７】
請求項１ないし５のいずれかに記載の分割形作業用ボックスの組み付け連結装置に用いられる分割体。
【請求項８】
複数に分割された部分を組み付けて中空ケース状の作業用ボックスを形成する際の作業用ボックスの組み付け連結方法であり、
相互に密着させて組み付けるボックスの分割体の分割面部分であってそれぞれの分割体側に連通する穴を凹設形成し、
該穴と略同じ形状の連結案内コマを該穴に挿入し、
該連結案内コマにより正しい密着組み付け位置に向けての両分割体の近接移動を案内させて、面合わせ後両分割体を密着させ、
その状態で、それぞれの分割体に形成された穴に連通し分割体の壁面側から穿孔された挿入孔から楔部材を打ち込んで分割体どうしが離開しないように連結案内コマに嵌着させることを特徴とする作業用ボックスの組み付け連結方法。
【発明の詳細な説明】
【０００１】
【発明の属する技術分野】
本発明は、地中に敷設される通信線や送配電線を引き込んだ管路の接続位置等に設置される分割形の作業用ボックスの組み付け連結装置及びそれらに用いられる案内連結体、並びにその組み付け連結方法に関する。
【０００２】
【従来の技術】
地中に敷設される通信線や送配電線を引き込んだ管路の接続位置等に設置して、それらの通信線や送配電線の接続、分岐、変向等の作業を行ないやすくし、また、それらの保守、点検を容易にさせるために従来からマンホール、ハンドホール、フィンガーボックス等と称される作業用ボックスが知られている。従来の作業用ボックスとしては、例えば、金属蓋付きのコンクリート製ハンドホールがあった。しかしながら、ハンドホールの中には例えば縦、横、高さがそれぞれ２メートル程度、重量数十トンほどもある大きさ及び重量の中空の矩形鉄筋コンクリート製ボックス等も多く、このような作業用ボックスの地中埋設に際しては、歩道の面と一致させるための高さ調整、そのための深さ測定した掘削等の調整作業が必要で、これを大型クレーン等で吊支させながら行なう作業は煩雑で、時間がかかり、さらに掘削穴内に作業者等が入って位置設定作業を行なう必要がどうしても生じる。このため、従来の金属蓋付きの本体一体型の作業用ボックスでは重量化しすぎる点から、出願人は上下に大きく２分割し、さらに下分割躯体を左右に大きく２分割した作業用ボックスを提案した（特開平９−２３５７４６号）。この分割形マンホールでは、各分割要素が小型、軽量化し掘削穴内へのマンホールの吊支下降後の設置施工が簡単で、さらに作業者が掘削穴内に入らずに施工し得る等の有利な点を含む。
【０００３】
【発明が解決しようとする課題】
しかしながら、この特開平９−２３５７４６号のマンホールでは、マンホールの上下の分割躯体の本体側壁の内外両面に、例えば鉄筋を連結させたアングル材等の締付板をそれぞれ突設固定し、上下組み付け後ボルト等により連結するものであり、したがって、コンクリート硬化体の側壁の内外両側に予め締付板を突設固定させているから他のコンクリート成形体等に当らないようにする等の運搬、保管、管理上大きな注意を払う必要があるとともに、マンホールのコンクリート成形時の側壁中間位置における締付板取付位置決めが必要であり、その製作が簡単でなく、製造コスト高となっていた。また、下分割躯体の設置後、上分割躯体を載置する際には、重機等の熟練したオペレータの経験による吊支した躯体を載せ掛ける作業であっても位置合わせに時間がかかり、さらに、その密着組み付け面の当接について完全を期し難い場合もあり、熟練オペレータの技能にその成否を依存するものであった。さらに、上下の躯体の面合わせ後のボルトによる締着作業にも手間取り、作業性の点でも改善の余地があった。
【特許文献１】特開平９−２３５７４６号（段落番号００２２、図１、図２、図７）
【０００４】
本発明は上記従来の課題に鑑みてなされたものであり、その目的は、分割形作業用ボックスの分割体どうしの組み付け連結を簡単かつ短時間でしかも確実に行なえる分割形作業用ボックスの組み付け連結装置及びその方法を提供することにある。また、本発明の他の目的は、分割躯体としての連結用の部位を含む分割体を簡単に製造し得てその製造コストを低廉にし得る分割形作業用ボックスの組み付け連結装置を提供することである。
【０００５】
【課題を解決するための手段】
上記目的を達成するために、本発明は、複数に分割された部分を組み付けて中空ケース状の作業用ボックスを形成する際の作業用ボックスの組み付け連結装置であり、相互に組み付け連結されるボックスの分割体１０１、１０２と、相互に密着させて組み付ける分割面部分であって、組み付けた際に両分割体に跨がって連通し、かつ両分割体内に埋め込み状に設けられた位置決め穴１２と、位置決め穴内に配置され両分割体が正しい密着組み付け状態で組み付けられるようにそれらの分割体の近接移動を案内し得る案内連結体１４と、両分割体の壁面側からそれぞれ穿孔され該位置決め穴に連通するように設けられた挿入孔１６と、挿入孔から挿入され密着組み付けされた両分割体が離開しないように案内連結体に嵌合して両分割体を連結させる楔部材１８と、を備えた分割形作業用ボックスの組み付け連結装置から構成される。作業用ボックスは、マンホール、ハンドホール、フィンガーボックス、その他通信、電力線の接続、分岐部分に配置されるコンクリート製のボックスである。ボックス形状は四角、円筒、立体多角筒等、任意形状で良い。分割体は上下に分割するタイプでもよいし、また、左右に分割して横方向に接合させるものでも良い。位置決め穴と案内連結体及び挿入孔と楔部材を含むことで分割体の近接移動案内を行なうと同時に分割面の水密連結を確実に行なえ、施工上の効率を大幅に向上させる。両分割体の分割面にはパッキン等を配置させても良い。位置決め穴とその内部に収納される案内連結体は、略同じ外形形状としてもよいし、異なるようにしてもよいが、案内連結体はいずれか、あるいは両方の分割体の近接移動案内機能を行なうための分割体との接摺案内部を設ける必要がある。さらに、案内と同時に正しい密着組み付け位置に向けての案内を行なう。この点から、近接移動方向に向けてしだいに拡大する錐体形状が好ましい。多角錐でもよいが、円錐体であるのがより好ましい。案内連結体は、いずれかの分割体のほうの半割れ穴側に配置させた状態で、他の分割体を近接移動させる組み付け方法が通常であるから、いずれの分割体の穴にも配置し得る左右対称形状の錐体を一体化させた全体が樽状の形態のものがよく、製造、管理、施工上有利である。案内連結体と楔部材との嵌合は、任意の形態としてもよい。例えば案内連結体側に穴を穿ち、この穴に楔部材側が突入連結するものや、実施形態のように、くびれた小径筒あるいは支柱部分を両側から挟む形態や、打突により合いかぎ継ぎ手状に嵌合するもの等、その他任意の構成とするとよい。
【０００６】
その際、案内連結体１４が分割体１０１、１０２の近接移動方向に向けて断面外郭大きさを拡大させる部分を有するようにするとよい。例えば、錐体形状とすることにより、例えば上分割体の穴の最大断面大きさ部分と錐体の頂部部分との位置合わせクレーン操作を最初に行なえば、後は、単に下降させるだけでよく、操作が簡単でその熟練度を必要とせずに短時間で、正確な組み付け連結を実現し得る。
【０００７】
さらに、案内連結体１４は断面外郭大きさを拡大させる部分を左右対称に形成させて一体化させたコマ部材からなるようにするとよく、各分割体に共通に使用でき、さらに、その穴形状も同じとして型枠による成形作業も極めて効率的に行なうことができる。
【０００８】
また、本発明は、複数に分割された部分を組み付けて中空ケース状の作業用ボックスを形成する際の作業用ボックスの組み付け連結装置であり、相互に組み付け連結されるボックスの分割体１０１、１０２と、相互に分割面を密着させて組み付ける際に両分割体が正しい密着組み付け状態で組み付けられるようにそれらの分割体の近接移動を案内する案内機構（１２、１４）と、案内機構に連係しつつ両分割体が正しい密着組み付け位置に配置された状態でその密着組み付け状態をロックさせるロック機構（１６、１８）と、を備えた作業用ボックスの組み付け連結装置から構成される。両分割体の近接移動を案内する案内機構（１２、１４）と、案内機構に連係して両分割体の密着組み付け状態をロックするロック機構を有するするべての装置を含む。
【０００９】
さらに、本発明は、複数に分割された部分を組み付けて中空ケース状の作業用ボックスを形成する際の作業用ボックスの組み付け連結装置であり、相互に組み付け連結されるボックスの分割体１０１、１０２と、相互に分割面を密着させて組み付ける際に両分割体間に介在しかつそれらの内部に埋め込まれるように該分割面部分に配置され、両分割体の正しい密着組み付け位置に向けて対向近接方向の移動を案内する案内連結体１４と、案内連結体を介して両分割体が正しい密着組み付け位置に配置された状態でその密着組み付け状態をロックさせるロック機構（１６、１８）と、を備えた作業用ボックスの組み付け連結装置から構成される。分割面部分に予め両分割体を組み付けた際に両分割体に跨がって連通し両分割体内に埋め込み状に配置される位置決め穴を設け、この位置決め穴に案内連結体を収納配置させるようにしてもよいし、また、予めいずれかの分割体側の分割面部分に挿入時の案内機能を行なえる案内連結部としての突出部あるいは突起を設けておき、他の分割体側にこの突出部あるいは突起に密着状に係合する穴を穿穴し、この穴に外部アクセス可能な他の穴を連通させておいて両分割体の組み付け状態をロックさせるようにしてもよい。
【００１０】
また、本発明は、前記したいずれかの分割形作業用ボックスの組み付け連結装置に用いられる案内連結体から構成される。
【００１１】
また、本発明は、前記したいずれかに記載の分割形作業用ボックスの組み付け連結装置に用いられる分割体から構成される。
【００１２】
さらに、本発明は、複数に分割された部分を組み付けて中空ケース状の作業用ボックスを形成する際の作業用ボックスの組み付け連結方法であり、相互に密着させて組み付けるボックスの分割体の分割面部分であってそれぞれの分割体側に連通する穴を凹設形成し、該穴と略同じ形状の連結案内コマを該穴に挿入し、該連結案内コマにより正しい密着組み付け位置に向けての両分割体の近接移動を案内させて、面合わせ後両分割体を密着させ、その状態で、それぞれの分割体に形成された穴に連通し分割体の壁面側から穿孔された挿入孔から楔部材を打ち込んで分割体どうしが離開しないように連結案内コマに嵌着させることを特徴とする作業用ボックスの組み付け連結方法から構成される。
【００１３】
【発明の実施の形態】
以下、添付図面に基づいて本発明の実施の形態について説明する。本発明の分割形作業用ボックスの組み付け連結装置は、地中に敷設される通信線や送配電線を引き込んだ管路の接続位置等に設置される分割形の作業用ボックスの組み付け連結装置であり、特に本実施形態では分割された分割体どうしの組み付け時の面合わせ位置決め作用と組み付け後の連結固定を連係して行なわせるようにした点が特徴的である。
【００１４】
図１ないし図１４は、本発明の実施形態に係る分割形作業用ボックスの組み付け連結装置を示しており、実施形態の分割形作業用ボックスの組み付け連結装置は、中空のケースを縦あるいは横に２分割、３分割．．．その他複数に分割された部分どうしを組み付けて中空ケース状の鉄筋コンクリート製の作業用ボックスを形成する装置であり、相互に組み付け連結されるボックスの分割体１０１、１０２と、これらの分割体内に埋め込み状に設けられた位置決め穴１２と、位置決め穴内に配置される案内連結体１４と、外部から位置決め穴に連通する挿入孔１６と、挿入孔から挿入されて打ち込まれる楔部材１８と、を備えている。
【００１５】
図１において、作業用ボックスは、上下略中央位置で２分割されており、下分割体（下分割駆体）１０２は上面を開口し四周壁１０３ａ〜１０３ｄ及び底壁１０３ｅを有する四角桝（矩形）状の鉄筋コンクリート製の半割れケース体からなり、四周壁の複数の壁には設置後打抜いて管路あるいはケーブル等を通線させるための図示しない薄肉ノックアウト部が形成されている。下分割体１０２の四周の各壁の上面には嵌合溝１０４が幅方向に長く形成され平面視で四角形状に連続するように設けられている。この下分割体１０２の四周の各壁の上面は、上分割体１０１と面合わせされて組み付け連結された一体作業用ボックスを形成させる際の分割面であり、ある程度の壁厚によりその部分に嵌合用凹凸やあるいは平面等が形成されている。そして、この実施形態では、図２、図３にも示すように、各コーナー部の四隅位置４箇所に上分割体１０１と共通する組み付け連結部３００が設けられている。詳細には、各コーナー部の内側の角部分を閉鎖した三角柱状の面付加部１２５を設け、分割体の半割れケースの内側隅部の交点から降ろす垂線に直交する付加面１２６を形成し、この面付加部１２５の隅部の厚肉部分を利用して組み付け連結部３００が形成されている。
【００１６】
同様に、上分割体（上分割駆体）１０１は、下面を開口し周壁１０５ａ〜１０５ｄ及び天壁１０５ｅを有する四角桝（矩形）状の鉄筋コンクリート製の半割れケース体からなり、天壁１０５ｅの中央部には作業者の出入り用孔（マンホール孔）１２３が形成され、必要に応じて四周壁の複数の壁には下分割体と同様の図示しない薄肉ノックアウト部が形成されている。上分割体１０１の四周の各壁の下面には下分割体１０２の嵌合溝１０４と雌雄嵌合する突条１０６が幅方向に長く形成され平面視で四角形状に連続するように設けられている。また、上分割体１０１の各壁の下面は下分割体１０２の分割面に面合わせして密着され組み付けられる分割面である。組み付け連結部３００は、上下の分割体の連結を行なうとともに、本実施形態特有の両分割体が正しい密着組み付け状態で組み付けられるようにそれらの分割体の近接移動を案内する部位を含む。本実施形態において、組み付け連結部３００は、上下の分割体の面合わせ部分に共通に形成され上分割体１０１についても下分割体１０２の取付位置に対応する位置に該組み付け連結部３００が設定されている。すなわち、上分割体１０１についても下分割体１０２での取付位置である平面視四角形の四隅位置に組み付け連結部３００が設定される。上分割体１０１についてもまた、付加面１２６を有する面付加部１２５が各コーナー部に設けられ、この面付加部１２５の隅部の厚肉部分を利用して組み付け連結部３００が形成されている。
【００１７】
位置決め穴１２は、上下の分割体１０１、１０２を相互に密着させて組み付ける分割面部分であって、両分割体を組み付けた際に両分割体に跨がって連通し、かつ両分割体内に埋め込み状に設けられた穴であり、特に本実施形態では、後述する案内連結体１４により正しい面合わせ組み付け状態に向けた相互近接移動を案内される際にその案内を受ける分割体の部位である。位置決め穴１２は、上下の分割体１０１、１０２のそれぞれ対応する位置に穿穴された上分割体穴１２１、下分割体穴１２２を含み、両分割体１０１、１０２が面合わせされて組み付けられた際に位置決め穴１２として統合される。本実施形態ではこの位置決め穴１２は、両分割体が直線状の近接移動により正しい面合わせ組み付け状態となるように予め両分割体の分割面部分の対応する位置に埋め込み状に凹設形成されて案内連結体１４と協働して分割体自身の相互近接移動案内と正しい面合わせ組み付け状態に向けての位置決めを行なわせる。特に、本実施形態では、上下の分割体穴１２１、１２２は、図３、図５に示すように、分割体の近接移動方向に向けての断面外郭大きさを拡大させる部分である案内連結体との接摺案内部としての円錐面を有するそれぞれ円錐状あるいは円錐台状に形成されており相互近接移動を円滑にかつ簡単に行なえる。
【００１８】
さらに、図３、４、５、１１に示すように、各分割体であって、それらの組み付け連結部３００における位置決め穴１２の近傍に、挿入孔１６が設けられている。挿入孔１６は、両分割体１０１、１０２の壁面側に開口を有し平面内部を通って他端側が位置決め穴１２に連通する外部から位置決め穴１２にアクセス可能な部位である。特に、本実施形態では、両分割体が正しい密着組み付け位置に配置された状態で位置決め穴１２及び案内連結体１４を含む案内機構に連係してその密着組み付け状態をロックさせるロック機構の一部を構成する。詳しくは、この挿入孔１６は、図４、図１２に示すように、各分割体のコーナー部に付加された面付加部の付加面１２６に一端側を開口され、コーナーの隅角端側に向けて横方向に穿たれて他端を位置決め穴１２の一部に連通するように設けられている。見方を変えると、挿入孔１６は、位置決め穴１２に直交するように穿穴配置されている。特に本実施形態では、位置決め穴１２の内部に配置される案内連結体１４の嵌合受部２０に嵌合するように円錐面の一部を挟み付けて嵌合し得る横幅の厚板形状のメクラ穴として形成されている。なお、この孔１６は貫通穴でもよい。そして、実施形態の挿入孔１６は、図１２のように、奥行き端側に向かうにしたがって幅を曲線状にしだいに狭くするように形成されている。さらに、この挿入孔１６は、図４に示すように、断面視で内壁面が平行ではなく、テーパ状に形成されており、楔部材を打ち込む際の食い込みを確保させるようにしている。
【００１９】
図５、図８、図１１〜図１４において、案内連結体１４は、位置決め穴１２内に配置され両分割体１０１、１０２が正しい密着組み付け状態で組み付けられるようにそれらの分割体の近接移動を案内し得る案内連結手段であり、組み付け完了状態では所定位置に設定された上下分割体穴１２１、１２２のそれぞれに埋没するように配置され、組付のための分割体の近接移動時には移動する分割体に接摺して両分割体の正しい密着組み付け状態に向けて案内する。図８に示す本実施形態の案内連結体１４は、略円錐台体の底部どうしを接合させて一体化させた略樽形状のコマ部材からなり、円錐台体の頂部側寄りにそれぞれ嵌合受部２０を形成している。すなわち、実施形態において、案内連結体１４は、分割体の近接移動方向に向けて断面外郭大きさを連続して拡大させる部分としての円錐面を有する円錐台体の底部どうしを接合させた形態で構成されている。実施形態において、嵌合受部２０は、各円錐台体の円錐面を周状に凹設した嵌合溝からなっており、該溝内に楔部材１８の嵌合装着部２２が装着嵌合されて両分割体の組み付け状態をロックさせる。すなわち、実施形態の案内連結体１４の嵌合溝は、その円錐台体の円錐面から段付き状に凹設した溝として形成されてその溝下部分は円錐台体に連続する小径筒部２４により画成されており、該嵌合溝よりもさらに円錐台体の先端部側は該小径筒部２４から拡大して円錐台体の傾斜に連続するような円錐面を有するストッパ部２６を形成している。したがって、図５、図１３、図１４のように、楔部材１８がこの嵌合溝に嵌着した場合には案内連結体１４が楔部材１８が打ち込まれた分割体に対して位置決め穴１２のいずれかの分割体穴内に埋没した状態で抜き差し困難に一体化する。
【００２０】
図５、９、１０〜１４において、楔部材１８は、挿入孔１６から挿入され密着組み付けされた両分割体が離開しないように案内連結体１４に嵌合して両分割体を連結させる連結固定手段であり、特に、本実施形態では、両分割体が正しい密着組み付け位置に配置された状態で位置決め穴１２及び案内連結体１４を含む案内機構に連係してその密着組み付け状態をロックさせるロック機構の一部を構成する。すなわち、ロック機構は、案内連結体１４の嵌合受部２０と、挿入孔１６と、楔部材１８と、を含む。本実施形態において、楔部材１８は、挿入孔１６よりやや小さく挿入孔内に挿入し得る大きさの挿入孔と同じ形状の厚板体からなり、特に本実施形態では、挿入孔１６にハンマ等で打ち込むことにより挿入孔１６の壁に外周を密着させて挿入される程度の大きさで構成されている。そして、打ち込み先端側に向かうにしたがって横幅及び縦断面形状をしだいに小さくさせるように形成されている。この楔部材１８は、打ち込み先端側に案内連結体１４と嵌合する嵌合装着部２２を備えている。嵌合装着部２２は、挿入孔１６から打ち込んでその先端を案内連結体１４のいずれかの部位に嵌着し、案内連結体１４と当該分割体とを一体的に連結させる。本実施形態では、この嵌合装着部２２は、図９、１０に示すように、中央にＵ字状の凹部２８を形成して両側に爪部３０を突設させた挟着機構からなり、これによって、挿入孔内に打ち込んだ際にその凹部２８が案内連結体１４の小径筒部２４を挟むように配置されて嵌着する。詳細には、この楔部材１８は、例えば合成樹脂製からなり、その打ち込み方向先端部分の外壁部分１８ａの横幅は、図１２に示すように、挿入孔１６の横幅よりも大きく設定されている。
【００２１】
なお、図６、７は、コンクリート製の各分割体１０１、１０２を成形する際の型枠装置構成を示しており、上面開口の四周壁と底壁を有する外枠５０と、その内部に一面を開口した中空矩形箱形状の内枠５２を反転して配置固定し、内枠５２はその箱形状を例えば２分割状に組み立て分解可能に設けて支柱５４で支持し、内外両型枠の間隙にコンクリートを打設して固化させ、コンクリート製の分割体を成形する。その際、外枠５０の底壁側に図７に示す位置決め穴１２の各分割体穴１２１、１２２と同形状の円錐形の中子型５６を螺等で固定し、また、内枠５２側に挿入孔１６と略同じ厚板形状で、案内連結体１４のＵ字状凹部に対応する位置に中抜き孔６０を穿孔させた第２の中子型５８を固定させておき、外枠５０内に内枠５２を挿入させる際に、その中抜き孔６０を中子型５６の円錐形の先端部分から挿入させて中子型５６により第２の中子型５８の中抜き孔６０を貫通するようにセットさせる。したがって、コンクリートの固化後は、外枠５０から内枠５２の順で脱係させることにより、上記構成の各分割体１０１、１０２が得られる。
【００２２】
以上説明したように、本実施形態の分割形作業用ボックスの組み付け連結装置は、複数に分割された部分を組み付けて中空ケース状の作業用ボックスを形成する際の作業用ボックスの組み付け連結装置であり、相互に組み付け連結されるボックスの分割体１０１、１０２と、相互に分割面を密着させて組み付ける際に両分割体が正しい密着組み付け状態で組み付けられるようにそれらの分割体の近接移動を案内する案内機構と、案内機構に連係しつつ両分割体が正しい密着組み付け位置に配置された状態でその密着組み付け状態をロックさせるロック機構と、を備える構成でもある。
【００２３】
またさらに本実施形態の分割形作業用ボックスの組み付け連結装置は、複数に分割された部分を組み付けて中空ケース状の作業用ボックスを形成する際の作業用ボックスの組み付け連結装置であり、相互に組み付け連結されるボックスの分割体１０１、１０２と、相互に分割面を密着させて組み付ける際に両分割体間に介在しかつそれらの内部に埋め込まれるように該分割面部分に配置され、両分割体の正しい密着組み付け位置に向けて対向近接方向の移動を案内する案内連結体１４と、案内連結体を介して両分割体が正しい密着組み付け位置に配置された状態でその密着組み付け状態をロックさせるロック機構と、を備える構成でもある。
【００２４】
次に、本実施形態の分割形作業用ボックスの組み付け連結装置の作用について、説明する。例えば、下分割体１０２を図示しない掘削穴内の所定の位置に設置し、その上から図１のように、上分割体１０１を重機吊り込み状態で下降させながら組み付け作業が行なわれる。この場合、４箇所に設定した組み付け連結部３００のそれぞれについて、その下分割穴１２２内に案内連結体１４を縦方向すなわち、この場合円錐軸を縦方向とするように配置して収容させる（図５参照）。その状態で、下分割穴１２２の挿入孔１６から楔部材１８を打ち込むとその爪部３０で案内連結体１４の小径筒部２４部分を間に挟むようにして進入する。そして、挿入孔１６の打ち込み方向先端部分の幅は楔部材１８の幅より小さく形成されているから、打ち込み終端側では図１２のように楔部材１８の爪部３０の先端側が互いに近接するように変形され、これによって、楔部材が下分割体から完全に抜けなくなる。その状態で、上分割体１０１の穴１２１を分割面から突設した上分割体に係合させながら下降させる。その際、上分割体１０１は、下方に向かうにしたがって連続的に大きさを拡大させる円錐形状であるから、ある程度ラフなクレーン操作であっても、確実に所定の正しい密着組み付け状態に向けてガイドする。そして、上分割体１０１を完全に下降させて正しい密着状態が得られた後に、上分割体１０１側の挿入孔１６から楔部材１８を打ち込むことにより、下分割体と同様のロック固定状態が得られる。これによって、両分割体に跨がるように埋め込み配置した案内連結体１４を介して上下の分割体が正確な位置合わせ状態で確実に連結固定される。その際の、組み付け、連結作業は、極めて簡単であり、かつ正確でしかも短時間に完了させることができる。
【００２５】
以上説明した本発明の分割形作業用ボックスの組み付け連結装置及びそれに用いられる分割体、案内連結体、並びにそれらの組み付け連結方法は、上記した実施の形態にのみ限定されるものではなく、特許請求の範囲に記載した発明の本質を逸脱しない範囲の変形も本発明に含まれる。
【００２６】
【発明の効果】
以上説明したように、本発明の分割形作業用ボックスの組み付け連結装置によれば、複数に分割された部分を組み付けて中空ケース状の作業用ボックスを形成する際の作業用ボックスの組み付け連結装置であり、相互に組み付け連結されるボックスの分割体と、相互に密着させて組み付ける分割面部分であって、組み付けた際に両分割体に跨がって連通し、かつ両分割体内に埋め込み状に設けられた位置決め穴と、位置決め穴内に配置され両分割体が正しい密着組み付け状態で組み付けられるようにそれらの分割体の近接移動を案内し得る案内連結体と、両分割体の壁面側からそれぞれ穿孔され該位置決め穴に連通するように設けられた挿入孔と、挿入孔から挿入され密着組み付けされた両分割体が離開しないように案内連結体に嵌合して両分割体を連結させる楔部材と、を備えた構成であるから、分割形作業用ボックスの分割体どうしの組み付け連結を簡単かつ短時間でしかも確実に行なうことが可能である。また、分割体を簡単に製造し得てその製造コストを低廉にし得る。
【００２７】
また、案内連結体が分割体の近接移動方向に向けて断面外郭大きさを拡大させる部分を有する構成とすることにより、ラフなクレーン操作やあるいは近接移動操作で正確な組み付け状態とさせる位置に向けて近接移動を案内させ得る。
【００２８】また、案内連結体は断面外郭大きさを拡大させる部分を左右対称に形成させて一体化させたコマ部材からなる構成とすることにより、各分割体穴及びそれと略同形状となる案内連結体を上下、あるいは左右の分割体の両方に共通に用いられるようにでき、型枠や案内連結体の製造コスト低減に資する。
【００２９】
また、本発明を複数に分割された部分を組み付けて中空ケース状の作業用ボックスを形成する際の作業用ボックスの組み付け連結装置であり、相互に組み付け連結されるボックスの分割体と、相互に分割面を密着させて組み付ける際に両分割体が正しい密着組み付け状態で組み付けられるようにそれらの分割体の近接移動を案内する案内機構と、案内機構に連係しつつ両分割体が正しい密着組み付け位置に配置された状態でその密着組み付け状態をロックさせるロック機構と、を備えた作業用ボックスの組み付け連結装置から構成することにより、分割形作業用ボックスの分割体どうしの組み付け連結を簡単かつ短時間でしかも確実に行なうことが可能である。また、分割体を簡単に製造し得てその製造コストを低廉にし得る。
【００３０】
また、本発明の作業用ボックスの組み付け連結装置によれば、複数に分割された部分を組み付けて中空ケース状の作業用ボックスを形成する際の作業用ボックスの組み付け連結装置であり、相互に組み付け連結されるボックスの分割体と、相互に分割面を密着させて組み付ける際に両分割体間に介在しかつそれらの内部に埋め込まれるように該分割面部分に配置され、両分割体の正しい密着組み付け位置に向けて対向近接方向の移動を案内する案内連結体と、案内連結体を介して両分割体が正しい密着組み付け位置に配置された状態でその密着組み付け状態をロックさせるロック機構と、を備えた構成とすることにより、分割形作業用ボックスの分割体どうしの組み付け連結を簡単かつ短時間でしかも確実に行なうことが可能である。また、分割体を簡単に製造し得てその製造コストを低廉にし得る。
【００３１】
また、本発明の作業用ボックスの組み付け連結方法によれば、複数に分割された部分を組み付けて中空ケース状の作業用ボックスを形成する際の作業用ボックスの組み付け連結方法であり、相互に密着させて組み付けるボックスの分割体の分割面部分であってそれぞれの分割体側に連通する穴を凹設形成し、該穴と略同じ形状の連結案内コマを該穴に挿入し、該連結案内コマにより正しい密着組み付け位置に向けての両分割体の近接移動を案内させて、面合わせ後両分割体を密着させ、その状態で、それぞれの分割体に形成された穴に連通し分割体の壁面側から穿孔された挿入孔から楔部材を打ち込んで分割体どうしが離開しないように連結案内コマに嵌着させる構成であるから、分割形作業用ボックスの分割体どうしの組み付け連結を簡単かつ短時間でしかも確実に行なうことが可能である。また、分割体を簡単に製造し得てその製造コストを低廉にし得る。
【図面の簡単な説明】
【図１】本発明の実施形態に係る組み付け連結装置を適用した分割形作業用ボックスの分解斜視説明図である。
【図２】図１の下分割体の平面図である。
【図３】図２の下分割体の１つの組み付け連結部の一部省略拡大斜視説明図である。
【図４】図３の１つの組み付け連結部の要部拡大縦断面図である。
【図５】上下分割体の１つの組み付け連結部の要部縦断面分解説明図である。
【図６】１つの分割体の成形用型枠の概念構成説明図である。
【図７】（ａ）、（ｂ）は、図６の型枠に取り付けられる位置決め穴及び挿入孔用の中子型枠の斜視説明図である。
【図８】案内連結体の拡大斜視図である。
【図９】楔部材の拡大斜視説明図である。
【図１０】（ａ）は、楔部材の拡大側面図、（ｂ）は、楔部材の拡大平面図である。
【図１１】１つの組み付け連結部における上下の分割体の組み付け作用説明図である。
【図１２】下分割体に案内連結体を配置させた状態から楔部材を挿入させる状態の平面作用説明図である。
【図１３】１つの組み付け連結部における上下の分割体の組み付け作用説明図である。
【図１４】１つの組み付け連結部における上下の分割体の組み付け連結完了状態の一部切欠拡大斜視説明図である。
【符号の説明】
１２  位置決め穴、１４  案内連結体、１６  挿入孔、１８  楔部材、２０  嵌合受部、２２  嵌合装着部、１０１  上分割体、１０２  下分割体、１２１  上分割体穴、１２２  下分割体穴  ３００  組み付け連結部
【図１】
2004324071.tif 000003
【図２】
2004324071.tif 000004
【図３】
2004324071.tif 000005
【図４】
2004324071.tif 000006
【図５】
2004324071.tif 000007
【図６】
2004324071.tif 000008
【図７】
2004324071.tif 000009
【図８】
2004324071.tif 000010
【図９】
2004324071.tif 000011
【図１０】
2004324071.tif 000012
【図１１】
2004324071.tif 000013
【図１２】
2004324071.tif 000014
【図１３】
2004324071.tif 000015
【図１４】
2004324071.tif 000016